【事件の表示】
　特許第６３０１９６９号発明「生体信号検出衣料」の特許異議申立事件について、次のとおり決定する。
【結　論】
　特許第６３０１９６９号の特許請求の範囲を訂正請求書に添付された訂正特許請求の範囲のとおり、訂正後の請求項〔１−２９〕、３０について訂正することを認める。
　特許第６３０１９６９号の請求項１ないし３０に係る特許を維持する。
【理　由】
第１　手続の経緯
　特許第６３０１９６９号の請求項１ないし３０に係る特許についての出願は、２０１５年（平成２７年）１月２７日（優先権主張　２０１４年１月２８日）を国際出願日とする出願であって、平成３０年３月９日にその特許権の設定登録がされ、同月２８日に特許掲載公報が発行された。その後、その特許について、同年９月２５日に特許異議申立人　谷川康治（以下、「申立人」という。）により特許異議の申立てがされ、当審は、同年１２月３日付けで取消理由を通知した。それに対し、特許権者は、その指定期間内である平成３１年２月４日に意見書の提出及び訂正の請求を行い、当審よりその意見書及び訂正の請求に対して申立人に意見を求めたが、申立人から意見書の提出はなかったものである。
第２　訂正の適否
１　訂正の内容
（１）訂正事項１
　特許請求の範囲の請求項１に、「樹脂層が積層」と記載されているのを、「
ＰＴＦＥ（ポリテトラフルオロエチレン）多孔膜、親水性のポリエステル樹脂エラストマーもしくは親水性のポリウレタン樹脂エラストマーからなる無孔膜、ポリウレタン樹脂微多孔膜から選択される透湿層がラミネートにより積層接着、または親水性のポリエステル樹脂エラストマーもしくは親水性のポリウレタン樹脂エラストマーからなる無孔膜から選択される透湿層がコーティングにより
接着
（２）訂正事項２
　特許請求の範囲の請求項７に、「溶媒中に前記導電性高分子とバインダとを分散した分散液を前記繊維構造物に塗布することにより、前記繊維構造物に前記導電性高分子を含浸させる」と記載されているのを、「
前記導電性高分子およびバインダを含浸させた繊維構造物である
（３）訂正事項３
　特許請求の範囲の請求項２１に、「前記配線部は導電性樹脂から形成され、防水性の電気的絶縁性部材からなるシートの片面の一部に前記導電性樹脂を連続的に積層し、前記防水性の電気的絶縁性部材の前記導電性樹脂が積層された面を前記衣料本体部と張り合わせることにより、前記配線部が形成される」と記載されているのを、「前記配線部は
、防水性の電気的絶縁性部材からなるシートと、前記シートの片面の一部に連続的に積層された導電性樹脂と、からなり、
されている
（４）訂正事項４
　特許請求の範囲の請求項３０に、「樹脂層が積層」と記載されているのを、「
ＰＴＦＥ（ポリテトラフルオロエチレン）多孔膜、親水性のポリエステル樹脂エラストマーもしくは親水性のポリウレタン樹脂エラストマーからなる無孔膜、ポリウレタン樹脂微多孔膜から選択される透湿層がラミネートにより積層接着、または親水性のポリエステル樹脂エラストマーもしくは親水性のポリウレタン樹脂エラストマーからなる無孔膜から選択される透湿層がコーティングにより
接着
（５）訂正の単位について
　訂正事項１は、訂正前に引用関係を有する請求項１〜２９に対して、訂正事項２は、訂正前に引用関係を有する請求項７〜２９に対して、訂正事項３は、訂正前に引用関係を有する請求項２１〜２９に対して請求されたものであり、訂正事項１〜３に係る訂正は、一群の請求項〔１−２９〕について請求されたものである。
２　訂正の目的の適否、新規事項の有無及び特許請求の範囲の拡張・変更の存否
（１）訂正事項１及び４について
　訂正事項１及び４は、訂正前の「樹脂層」を特定の透湿層に限定するとともに、当該透湿層が導電性繊維構造物の肌側と接する面の裏面側に積層接着されたものに限定するものであるから、特許請求の範囲の減縮を目的とするものである。また、訂正事項１及び４は、本件特許明細書の段落【００５８】「透湿層としては、ＰＴＦＥ（ポリテトラフルオロエチレン）多孔膜、親水性のポリエステル樹脂、ポリウレタン樹脂など親水性エラストマーからなる無孔膜、ポリウレタン樹脂微多孔膜など、既知の膜、フィルム、積層物、樹脂などをコーティング、ラミネート方式で積層した形態が挙げられる」との記載に基づく構成であるから、新規事項の追加に該当せず、実質上特許請求の範囲を拡張し、又は変更するものでもない。
（２）訂正事項２について
　訂正事項２は、訂正前の「製造方法により特定された導電性繊維構造物」を、いわゆるＰＢＰであり不明確であるとの取消理由を受け、構造についての発明特定事項としたことから、明瞭でない記載の釈明を目的とするものであり、新規事項の追加に該当せず、実質上特許請求の範囲を拡張し、又は変更するものでもない。
（３）訂正事項３について
　訂正事項３は、訂正前の「製造方法により特定された配線部」を、いわゆるＰＢＰであり不明確であるとの取消理由を受け、構造についての発明特定事項としたことから、明瞭でない記載の釈明を目的とするものであり、新規事項の追加に該当せず、実質上特許請求の範囲を拡張し、又は変更するものでもない。
３　小括
　上記のとおり、訂正事項１〜４に係る訂正は、特許法第１２０条の５第２項ただし書第１号及び第３号に掲げる事項を目的とするものであり、かつ、同条第９項で準用する同法第１２６条第５項及び第６項の規定に適合する。
　したがって、特許請求の範囲を、訂正請求書に添付された訂正特許請求の範囲のとおり、訂正後の請求項〔１〜２９〕、３０について訂正することを認める。
第３　訂正後の本件発明
　上記のとおり訂正が認められるから、本件特許の請求項１〜３０に係る発明（以下、それぞれ請求項の番号に応じて「本件発明１」などという。）は、訂正特許請求の範囲の請求項１〜３０に記載された事項により特定される、次のとおりのものである。
「【請求項１】
　導電性繊維構造物からなる少なくとも２つ以上の電極と、
　生体と接触する前記電極が取得した生体電気信号を検出処理する測定装置と、
　前記電極と前記測定装置とを導通接続する配線部と、
　前記電極、前記測定装置、および前記配線部が所定の位置に配置される衣料本体部と、
　を具備し、前記電極に用いる導電性繊維構造物の肌側と接する面の裏面側にＰＴＦＥ（ポリテトラフルオロエチレン）多孔膜、親水性のポリエステル樹脂エラストマーもしくは親水性のポリウレタン樹脂エラストマーからなる無孔膜、ポリウレタン樹脂微多孔膜から選択される透湿層がラミネートにより積層接着、または親水性のポリエステル樹脂エラストマーもしくは親水性のポリウレタン樹脂エラストマーからなる無孔膜から選択される透湿層がコーティングにより積層接着されたことを特徴とする生体信号検出衣料。
【請求項２】
　前記測定装置は心電図測定装置であって、
　前記電極のいずれか１つを関電極とし、前記関電極以外の電極を不関電極（生体基準電位電極）として、前記関電極と前記不関電極との電位差を心電図波形として検出することを特徴とする請求項１に記載の生体信号検出衣料。
【請求項３】
　前記測定装置は心電図測定装置であって、
　前記導電性繊維構造物からなる少なくとも３つ以上の電極を有し、前記電極のいずれか２つを関電極とし、前記関電極以外の電極を不関電極（生体基準電位電極）として、２つの前記関電極の電位差を心電図波形として検出することを特徴とする請求項１に記載の生体信号検出衣料。
【請求項４】
　前記測定装置は心電図測定装置であって、
　前記電極のうちの２つは、前記衣料本体部の左右の側胸部あるいは側腹部近傍にそれぞれ配置され、
　前記電極を３つ以上具備する場合、残りの電極は、前記衣料本体部の左右の側胸部あるいは側腹部近傍に配された電極から離間して配置されることを特徴とする請求項１〜３のいずれかに記載の生体信号検出衣料。
【請求項５】
　前記衣料本体部の左右の側胸部あるいは側腹部近傍にそれぞれ配置された前記電極を２つの関電極とし、これら以外を不関電極（生体基準電位電極）として、２つの前記関電極の電位差を心電図波形として検出することを特徴とする請求項４に記載の生体信号検出衣料。
【請求項６】
　前記導電性繊維構造物は、導電性高分子を含浸させた繊維構造物であることを特徴とする請求項１〜５のいずれかに記載の生体信号検出衣料。
【請求項７】
　前記導電性繊維構造物は、前記導電性高分子およびバインダを含浸させた繊維構造物であることを特徴とする請求項６に記載の生体信号検出衣料。
【請求項８】
　前記導電性高分子は、ポリ（３，４−エチレンジオキシチオフェン）とポリスチレンスルホン酸との混合物であることを特徴とする請求項６または７に記載の生体信号検出衣料。
【請求項９】
　前記電極は、繊維構造物の織編物からなり、前記織編物の目付けが５０ｇ／ｍ２以上、３００ｇ／ｍ２以下であることを特徴とする請求項１〜８のいずれかに記載の生体信号検出衣料。
【請求項１０】
　前記電極に用いる織編物が合成繊維マルチフィラメントからなり、前記織編物に使用する合成繊維マルチフィラメントの少なくとも一部が、繊度が３０ｄｔｅｘ以上４００ｄｔｅｘ以下で、かつ単糸繊度が０．２ｄｔｅｘ以下である合成繊維マルチフィラメントであることを特徴とする請求項１〜９のいずれかに記載の生体信号検出衣料。
【請求項１１】
　前記電極に用いる織編物が合成繊維マルチフィラメントからなり、前記織編物に使用する合成繊維マルチフィラメントの少なくとも一部が、単糸繊維径が１０ｎｍ以上５０００ｎｍ以下である合成繊維マルチフィラメントを含むことを特徴とする請求項１〜１０のいずれかに記載の生体信号検出衣料。
【請求項１２】
　前記電極に用いる織編物が合成繊維マルチフィラメントからなり、前記織編物に使用する合成繊維マルチフィラメントの少なくとも一部が、単糸繊維径が１０ｎｍ以上１０００ｎｍ以下である合成繊維マルチフィラメントを含むことを特徴とする請求項１〜１１のいずれかに記載の生体信号検出衣料。
【請求項１３】
　前記樹脂層がポリウレタン系透湿層からなることを特徴とする請求項１〜１２のいずれかに記載の生体信号検出衣料。
【請求項１４】
　前記配線部は、導電性樹脂のプリント、導電性樹脂フィルムのラミネート、導電性繊維または金属線により形成されることを特徴とする請求項１〜１３のいずれかに記載の生体信号検出衣料。
【請求項１５】
　前記配線部は導電性繊維の縫込みにより形成され、
　前記導電性繊維は金属類によりコーティングされた繊維からなることを特徴とする請求項１〜１４のいずれかに記載の生体信号検出衣料。
【請求項１６】
　前記導電性繊維にコーティングされる金属類は、銀、アルミあるいはステンレス鋼を含むことを特徴とする請求項１５に記載の生体信号検出衣料。
【請求項１７】
　前記配線部は、前記衣料本体部の表面側に配置されることを特徴とする請求項１〜１６のいずれかに記載の生体信号検出衣料。
【請求項１８】
　前記配線部は導電性繊維の縫込みにより形成され、
　前記導電性繊維が主に前記衣料本体部の表面側に露出するように、ミシンの片糸に用いて縫製により縫い込まれたことを特徴とする請求項１〜１７のいずれかに記載の生体信号検出衣料。
【請求項１９】
　前記配線部は、前記衣料本体部の表面側に配置され、
　前記配線部の前記衣料本体部の表面側に露出する部分が、防水性の電気的絶縁性部材で被覆されていることを特徴とする請求項１〜１８のいずれかに記載の生体信号検出衣料。
【請求項２０】
　前記電気的絶縁性部材がポリウレタン系フィルムであることを特徴とする請求項１９に記載の生体信号検出衣料。
【請求項２１】
　前記配線部は、
　防水性の電気的絶縁性部材からなるシートと、
　前記シートの片面の一部に連続的に積層された導電性樹脂と、
　からなり、前記防水性の電気的絶縁性部材の前記導電性樹脂が積層された面が前記衣料本体部と張り合わされていることを特徴とする請求項１〜１４、１７および２０のいずれかに記載の生体信号検出衣料。
【請求項２２】
　前記生体信号検出衣料は、１つの前記電極、前記測定装置、および前記電極と前記測定装置を導通接続する前記配線部によって構成される導通接続系統を少なくとも２つ有し、前記導通接続系統の少なくとも衣料本体部上に形成される部分が、撥水性かつ絶縁性の構造で互いに分離されることを特徴とする請求項１〜２１のいずれかに記載の生体信号検出衣料。
【請求項２３】
　前記衣料本体部は織編物からなり、前記織編物のタテ方向あるいはヨコ方向のどちらか一方の６０％伸長時の応力が０．５Ｎ以上１５Ｎ以下であることを特徴とする請求項１〜２２のいずれかに記載の生体信号検出衣料。
【請求項２４】
　前記衣料本体部は弾性糸と非弾性糸からなる織編物であることを特徴とする請求項１〜２３のいずれかに記載の生体信号検出衣料。
【請求項２５】
　前記弾性糸はポリウレタン系弾性繊維であることを特徴とする請求項２４に記載の生体信号検出衣料。
【請求項２６】
　前記衣料本体部が編物であることを特徴とする請求項１〜２７のいずれかに記載の生体信号検出衣料。
【請求項２７】
　前記測定装置は、コネクタを介して前記衣料本体部と着脱かつ接続することができることを特徴とする請求項１〜２６のいずれかに記載の生体信号検出衣料。
【請求項２８】
　前記測定装置は、モバイル端末やパーソナルコンピュータと通信し、データを転送する機能を有することを特徴とする請求項１〜２７のいずれかに記載の生体信号検出衣料。
【請求項２９】
　前記測定装置は、モバイル端末やパーソナルコンピュータと無線通信し、データを転送する機能を有することを特徴とする請求項１〜２８のいずれかに記載の生体信号検出衣料。
【請求項３０】
　導電性繊維構造物からなる少なくとも２つ以上の電極と、
　生体と接触する前記電極が取得した生体電気信号を検出処理する測定装置を着脱かつ接続可能なコネクタと、
　前記電極と前記コネクタとを導通接続する配線部と、
　前記電極、前記コネクタ、および前記配線部が所定の位置に配置される衣料本体部と、
　を具備し、前記電極に用いる導電性繊維構造物の肌側と接する面の裏面側に前記電極の湿度コントロールが可能なＰＴＦＥ（ポリテトラフルオロエチレン）多孔膜、親水性のポリエステル樹脂エラストマーもしくは親水性のポリウレタン樹脂エラストマーからなる無孔膜、ポリウレタン樹脂微多孔膜から選択される透湿層がラミネートにより積層接着、または親水性のポリエステル樹脂エラストマーもしくは親水性のポリウレタン樹脂エラストマーからなる無孔膜から選択される透湿層がコーティングにより積層接着されたことを特徴とする生体信号検出衣料。」
第４　申立人が提出した証拠
　申立人が提出した証拠は、次の甲第１号証〜甲第７号証（以下、それぞれ、「甲１」〜「甲７」という。）である。
甲１：国際公開第２０１３／０７３６７３号
甲２：米国特許出願公開第２０１０／０１９８０４３号明細書
甲３：米国特許出願公開第２０１３／００６６１６８号明細書
甲４：特表２００２−５０７１３１号公報
甲５：特開２０１４−２２６３６７号公報（特願２０１３−１０８９３５号）
甲６：国際公開第２０１２／１４６０６６号
甲７：特開２０１１−３２５９５号公報
第５　甲各号証の記載
１　甲１について
（１）甲１の記載事項
　本件特許出願の優先権主張の日前に頒布された甲１には、次の事項が記載されている。（下線は当審による。以下同様。）
（甲１ア）
「［０２２６］［第三の態様の第二実施形態］
　第二実施形態の生体電極３３０を図２４Ａ〜２４Ｂに示す。
生体電極３３０においては、導電性複合繊維によって構成された紐状の複数の接触子３３１が平面状に配列された接触部（電極面）３３２と、接触部３３２を支持するシート状の基板３３３とが備えられている。接触部３３２と基板３３３を合わせた構成を電極パッドと呼ぶ。各接触子３３１と電気的に接続された信号ケーブル３３４が備えられている。さらに、前記電極パッドの接触部３３２を皮膚Ｓに押し当てる手段として、伸縮性の材料で構成されたホルダー３３５を備えている。
・・・
［０２２８］　シート状の基板３３２を用いることにより、生体電極の皮膚接触面の平面性を確保し、さらに皮膚との安定した接着を促すことができる。前記基板の素材やサイズや形状は任意に選択できる。例えば
基板として、厚さ０．２ｍｍのＰＶＣ（ポリ塩化ビニール）シートまたはシリコーン製の平面シート(厚さ１ｍｍ)が挙げられる
・・・
［０２３１］　
基板３３３と接触部３３２との重なり位置において、基板３３３には開口部３３６が設けられている。開口部３３６は換気口（通気口）として機能する
（甲１イ）
「［０２３３］　図２５Ｂに示すように、
接触部３３２とは反対の基板３３３の面（裏面）に調湿用パッド３３７を備えても良い。開口部３３６を通過した蒸気又は汗を調湿用パッド３３７で吸い取ることができる
また調湿用パッド３３７を覆う又は固定するための調湿用カバー３３８を設けても構わない。
・・・
［０２３５］　基板３３３に開口部３３６を設けることにより、夏季、若年者、運動時などの発汗量が多く蒸れやすい状況から、冬季、高齢者、安静時など乾燥した状況まで、さまざまな皮膚の状態に対応することができる。開口部３３６は、電極パッドにより閉鎖された（覆われた）皮膚を開放して、湿気を放散する目的のためだけに設けられるのではなく、皮膚に対して積極的に水分を供給する目的のために設けても構わない。つまり、開口部３３６の上に吸水性のパッド（
スポンジ等
・・・
［０２４１］　生体電極３３０の電極パッドを皮膚表面に設置する方法は、生体電極を安定に固定できる方法であれば特に制限されず、例えば前述した導電性複合繊維が有する粘着性、又はシート状の基板３３３の粘着性を利用して、電極パッドを単独で自立的に皮膚に貼り付けることが可能である。
接触子３３１を配列した接触部３３２を体表面（皮膚表面）に接触させると、接触子３３１が皮膚表面にすみやかに貼り付き、接触子３３１と皮膚表面との間で導通が得られ、生体信号を取得できる。生体信号は接触子３３１に結線された信号ケーブル３３４（金属導線）を経て、生体アンプ等の外部装置に送られる
（甲１ウ）
「［０２４４］　例えば図２６Ａ〜２６Ｂに示すように、
ホルダー３３５は、
下着（シャツ）Ｔの内側に設置することができる
電極パッド３３８及びホルダー３３５の一部が下着Ｔの内側に固定されている
ホルダー３３５は電極パッド３３８を安定に保持する役割とともに、生体電極の付属品（ケーブル、コネクター、アンプ３３９等）の保持にも活用される
［０２４５］　
ホルダー３３５を
下着のシャツの内側に、心臓の高さに合わせて１５ｃｍ幅（縦の長さ）で縫い付けて用いることができる
ホルター心電図用電極のホルダー（CC5誘導用）として
電極パッド３３８が前胸部の左右に設置され
（甲１エ）図２４Ａ，Ｂ
（甲１オ）図２５Ｂ
（甲１カ）図２６Ａ，Ｂ
（２）甲１に記載された発明
ア　図２６Ａ，Ｂの「下着Ｔ」は、（甲１ア）の［０２２６］及び（甲１ウ）の記載を踏まえると、「生体電極３３０」を「固定」することが理解できる。
イ　上記アを含め上記（１）の記載事項及び図面を総合すると、甲１には、次の発明（以下、「甲１発明」という。）が記載されていると認められる。
　「導電性複合繊維によって構成された紐状の複数の接触子３３１が平面状に配列された接触部（電極面）３３２と、接触部３３２を支持するシート状の基板３３３とが備えられ、接触部３３２と基板３３３を合わせた構成を電極パッドと呼び、各接触子３３１と電気的に接続された信号ケーブル３３４が備えられ、さらに、前記電極パッドの接触部３３２を皮膚Ｓに押し当てる手段として、伸縮性の材料で構成されたホルダー３３５を備えている生体電極３３０を固定する下着Ｔであって、
　シート状の基板３３３として、厚さ０．２ｍｍのＰＶＣ（ポリ塩化ビニール）シートまたはシリコーン製の平面シート(厚さ1mm)が挙げられ、
　基板３３３と接触部３３２との重なり位置において、基板３３３には開口部３３６が設けられ、開口部３３６は換気口（通気口）として機能し、
　接触部３３２とは反対の基板３３３の面（裏面）に調湿用パッド（スポンジ等）３３７を備えても良く、開口部３３６を通過した蒸気又は汗を調湿用パッド３３７で吸い取ることができ、
　接触子３３１を配列した接触部３３２を体表面（皮膚表面）に接触させると、接触子３３１が皮膚表面にすみやかに貼り付き、接触子３３１と皮膚表面との間で導通が得られ、生体信号を取得でき、生体信号は接触子３３１に結線された信号ケーブル３３４（金属導線）を経て、生体アンプ等の外部装置に送られ、
　ホルダー３３５は、下着（シャツ）Ｔの内側に設置することができ、電極パッド３３８及びホルダー３３５の一部が下着Ｔの内側に固定され、電極パッド３３８を安定に保持する役割とともに、生体電極の付属品（ケーブル、コネクター、アンプ３３９等）の保持にも活用され、下着のシャツの内側に、心臓の高さに合わせて１５ｃｍ幅（縦の長さ）で縫い付けて用いることができ、ホルター心電図用電極のホルダー（CC5誘導用）として電極パッド３３８が前胸部の左右に設置される、
　下着Ｔ。」
２　甲２について
（１）甲２の記載事項
　本件特許出願の優先権主張の日前に頒布された甲２には、次の事項が記載されている。
（甲２ア）
「[0039] FIGS. 1a to 1c show an exemplary garment 100 for monitoring physiological properties. Principles of the present invention shall be explained exemplarily by means of measuring the heart rate. However, as mentioned above, other physiological properties can also be monitored and evaluated by means of suitable sensors and measuring electronic.
[0040]According to an embodiment in FIG. 1a, the device for monitoring physiological properties is integrated into a T-shirt worn by the athlete during exercising the sport. Of course, the device for monitoring physiological properties can, as stated above, also be integrated into other garments, such as pullovers or tank tops.
[0041] FIG. 1a shows a garment 100 for measuring the heart rate of the wearer in a side view. The auxiliary line 102 divides the garment 100 into the front side and the rear side. According to an embodiment of the present invention, the electrodes contacting the skin of the wearer form the measuring sensors for monitoring the heart rate.」
（日本語訳）
「［００３９］　図１ａ〜１ｃは、生理的特性のモニタのための典型的な衣料１００を示す。本発明の原理は、心拍数を測定することによって例示的に説明されるものとする。しかしながら、上述するように、他の生理的特性も適切なセンサおよび測定電子機器によってモニタし評価することができる。
［００４０］　図１ａの中の実施態様によれば、生理的特性のモニタ用装置は、スポーツ中にスポーツ選手によって着用されるＴシャツに一体化される。もちろん、上述したように、生理的特性のモニタ用装置はまた、他の衣料（セーターまたはタンクトップ）に一体化され得る。
［００４１］　図１ａは、
着用者の心拍数を測定するための衣料１００
着用者の皮膚と接触する
（甲２イ）
「[0044] As may be seen from FIG. 1b, which shows the front side of the garment 100, and FIG. 1c, which shows the rear side of the garment 100 , a further electrode 130 is integrated in the garment 100 symmetrical to the spine of the wearer, said further electrode basically having the same properties as the electrode 120. In an embodiment, the electrode can, however, also be guided along a different space between the ribs of the wearer than the electrode 120. In these embodiments, the electrode 130 is therefore offset vertically with respect to the electrode 120 .
[0045] The electrodes 120 and 130 form an inner surface of the garment 100. In an embodiment they are formed of a conductive stretch material. The stretch material can be a lycra-like material. It can for instance be composed of approx. 92% silver-coated nylon and approx. 8% dorlastan. The surface resistance of such a material in unstretched condition less than 1Ω/sq. The Thickness is approx. 0.5 mm with a weight of approx. 130 g/m2.
[0046] In some embodiments, the electrodes 120 and 130 are stitched or glued onto the inner surface of the garment 100. The parts of the garment 100 onto which the electrodes 120 and 130 are stitched or glued on can be composed of non-conductive fibers to insulate the electrodes towards the outside. However, the electrodes 120 and 130 can also be sewed into the garment 100 itself or they can be integrated in a different manner.
[0047] As may further be seen from FIG.1b to 1c, each electrode 120 and 130 contacts a conductive connection 125 and 135, respectively. The conductive connections 125 and 135 are either adhered or stitched onto the electrode 120 or 130 in the longitudinal direction. In some embodiments, the conductive connections are woven into the stretch material that forms the electrodes.
[0048] The conductive connections 125 and 135, respectively, lead from the electrodes 120 or 130 to a device 170 for monitoring physiological properties, which is specified with respect to FIG. 3a and FIG. 3b as well as FIG.4 .
[0049] The conductive connections 125 and 135 can be composed of a conductive yarn or thread that is woven into the non-conductive fibers of the garment 100 or that is sewed/stitched or adhered onto the garment  100 . Such a thread is for instance composed of silver-coated nylon whose resistance is less than 5 Ω/cm.
[0050]The conductive connections are electrically conductively coupled to the device for monitoring the physiological properties. As described above, and as explained further below with reference to FIGS. 3a and 3b as well as FIG. 4 , the device 170 contains a measuring electronics in some embodiments that is required for a heart rate measurement. In some embodiments, the device 170 is fixedly integrated into the garment 100, in other embodiments it is detachable from the garment 100, as explained in detail with reference to FIGS. 2a to 2c. The device 170 is preferably positioned on the rear side 150 of the garment 100 .」
（日本語訳）
「［００４４］　図１ｂ（衣料１００の正面側を示す）および図１ｃ（衣料１００の背面側を示す）から参照できるように、衣料１００にさらなる電極１３０が一体化され、電極１３０は、電極１２０と着用者の背骨に対して対称的であり、基本的に電極１２０と同じ特性を有している。ただし、一実施態様では、電極１３０は、電極１２０と比べて着用者の肋骨間で異なるスペースに沿ってガイドされうる。これらの実施態様では、電極１３０は、電極１２０に対して縦方向にオフセットされる。
［００４５］　電極１２０および１３０は、衣料１００の内表面に形成される。一実施態様では、
電極１２０および１３０は導電性の伸縮素材から作られる
伸縮素材はライクラ（当審注：登録商標）のような材料であり得る
［００４６］　いくつかの実施態様では、
電極１２０および１３０は、衣料１００の内表面に縫い付けられるか接着剤で接着される
［００４７］　図１ｂ〜１ｃでさらに説明するように、電極１２０および１３０はそれぞれ導通接続部１２５および１３５とそれぞれ接触する。導通接続部１２５および１３５は縦方向で電極１２０または１３０に接着されるか、または縫い付けられる。いくつかの実施態様では、導通接続部は、伸縮素材に編まれて電極を形成する。
［００４８］　図３ａおよび図３ｂ、図４と同様に、
導通接続部１２５および１３５は、それぞれ、電極１２０または１３０から生理的特性のモニタ用装置１７０に導通する
［００４９］　
導通接続部１２５および１３５は、
衣料１００の非導電性の繊維に織り込まれるか、衣料１００上に縫われ／スティッチされるか、または接着される
［００５０］　導通接続部は、生理的特性のモニタ用装置に、電気的に導電性に連結される。上述したように、および、図４と同様に図３ａおよび３ｂに関してさらに以下の説明されるように、
装置１７０は
心拍数測定に必要な電子機器である
装置１７０は衣料１００に固定式で一体化され
装置１７０は衣料１００に対して分離可能である
（甲２ウ）ＦＩＧ．１ａ
（甲２エ）ＦＩＧ．１ｂ，１ｃ
（２）甲２に記載された発明
　上記（１）の記載事項及び図面を総合すると、甲２には、次の発明（以下、「甲２発明」という。）が記載されていると認められる。
　「着用者の心拍数を測定するための衣料１００であって、
　着用者の皮膚と接触する電極１２０および１３０は、導電性の伸縮素材から作られ、伸縮素材はライクラ（当審注：登録商標）のような材料であり、衣料１００の内表面に縫い付けられるか接着剤で接着され、
　導通接続部１２５および１３５は、それぞれ、電極１２０または１３０から生理的特性のモニタ用装置１７０に導通し、衣料１００の非導電性の繊維に織り込まれるか、衣料１００上に縫われ／スティッチされるか、または接着され、
　モニタ用装置１７０は、心拍数測定に必要な電子機器であり、衣料１００に固定式で一体化され、または、衣料１００に対して分離可能である、
　衣料１００。」
３　甲３について
（１）甲３の記載事項
　本件特許出願の優先権主張の日前に頒布された甲３には、次の事項が記載されている。
（甲３ア）
「[0091] In conclusion, the invention relates to method and system for generating physiological signals by using the cloth capacitive sensor. In the system, a capacitance is formed between the electrodes of cloth and human body which are contacted. Under an effect of a signal provided externally, when pressure, tension, pull or strain is applied between the human body and the cloth, which enables to change the capacitance or change the dielectric constant between the human body and the cloth so that the capacitance changes, change of the capacitance is sensed. The change of capacitance is displayed by frequency, voltage or current so that a frequency, voltage or current change will be generated. Change of resonance frequency, voltage or current is used to respond physiological parameters of human body, such as posture, swallowing, coughing, breathing, sweating, even heartbeat etc. The invention makes remarkable progress in technology and has obvious active effect, which is a novel, advanced and practical design.」
（日本語訳）
「［００９１］　結論として、本発明は布静電容量センサの使用により
生理信号を発生する
（甲３イ）
[0203] Common architecture of the invention refers to  FIG. 1 . The articles where the sensors are placed such as clothes, socks, bed sheets, pillows or chairs etc. are contacted directly or indirectly with human body (for example, underwear separates the sensors and the skin). The sensors are arranged at specific positions according to applications and matched with switches according to demand, for example, button switches or crack switches. ・・・
[0204] In order to increase bonding between the sensors and the human that are contacted, a material can be added between the sensors and the cloth or leather to increase the thickness, such as elastic materials: sponge, silicon, rubber, and spring etc. At the same time, in order to prevent incorrect contact or transmit too many signals at the same time, a switch can be further provided between the sensors and the cloth or leather so as to control start of signal sensing according to pressure or tension.」
（日本語訳）
「［０２０３］　本発明の共通の構造が図１に示される。
センサが衣服
に配置される
［０２０４］　
センサと人間との間の接着性を増加させるために、厚さを増加させるために、センサと、布または皮革との間に材料（弾性材）を加えることができる:そのような弾性材は、例えば、スポンジ、シリコン、ゴム、スプリングなどが含まれる
（２）甲３に記載された発明
　上記（１）の記載事項及び図面を総合すると、甲３には、次の発明（以下、「甲３発明」という。）が記載されていると認められる。
　「生理信号を発生する布静電容量センサが配置される衣服であって、
　布静電容量センサと人間との間の接着性や厚さを増加させるために、布静電容量センサと衣服との間に弾性材を加えることができ、そのような弾性材は、例えば、スポンジ、シリコン、ゴム、スプリングなどが含まれる、
　衣服。」
４　甲４について
（１）甲４の記載事項
　本件特許出願の優先権主張の日前に頒布された甲４には、次の事項が記載されている。
（甲４ア）第１０頁第２０行−第１１頁第１０行
「　図１と図２を参照すると、この発明の
非侵襲モニタリングシャツ（ＮＩＭシャツ）１０
衣服１５の背面の内側に
接着剤で固定される電子心電計電極センサ２６を
備える
  
センサ
２６
は、衣服１５に付着
されるマイクロコントローラ・ユニット３０に接続される
  マイクロコントローラ・ユニット３０は、図に示すように、モニタされる患者の腰に衣服の側面に取付けられるが、それはまた、患者の体の上又は周囲のどのような快適な位置又は部位に付設又は携帯されてもよい。図３に見られるように、マイクロコントローラはセンサ２０〜２６からモニタ信号を収集しワイヤレスの通信リンク３５を介して遠隔記録／警告ユニット４０へ伝送するが、ユニット４０は警告条件を決定すると共にデータ記録機能を与えるプロセッサを備える。」
（甲４イ）第１４頁第４行−第１２行
「　ＮＩＭシャツ１０の好ましい実施態様は、電子心電図（ＥＣＧ）電極センサ２６（図２）をさらに備える。
ＥＣＧ電極センサ２６は、
衣服１５の背面
の内側に可撓性接着材料により固定される大きな布切れ状の導電性黒鉛材料を備えてもよい
（甲４ウ）ＦＩＧ．１
（甲４エ）ＦＩＧ．２
（２）甲４に記載された発明
　上記（１）の記載事項及び図面を総合すると、甲４には、次の発明（以下、「甲４発明」という。）が記載されていると認められる。
　「衣服１５の背面の内側に接着剤で固定される電子心電計電極センサ２６を備える非侵襲モニタリングシャツ（ＮＩＭシャツ）１０であって、
　電子心電計電極センサ２６は、衣服１５に付着されるマイクロコントローラ・ユニット３０に接続され、衣服１５の背面の内側に可撓性接着材料により固定される大きな布切れ状の導電性黒鉛材料を備えている、
　非侵襲モニタリングシャツ（ＮＩＭシャツ）１０。」
５　甲５について
（１）甲５先願当初明細書等の記載事項
　本件特許出願の優先権主張の日前に出願され、その日後に出願公開された甲５に係る特許出願（特願２０１３−１０８９３５号）の願書に最初に添付された明細書、特許請求の範囲及び図面（以下、「甲５先願当初明細書等」という。）には、次の事項が記載されている。
（甲５ア）
「【００２０】
［第１の実施の形態］
　図１は本発明の第１の実施の形態に係る生体電極の構造を示す断面模式図である。図１に示す
生体電極は、導電性の多孔質体
からなる生体信号受信部１０と、生体信号受信部１０で受信した生体信号を
生体信号測定装置に伝えるための生体信号伝達ケーブル１３と、生体信号受信部１０と生体信号伝達ケーブル１３とを電気的に接続するためのコネクタ部１２と、生体（人体）５０と接触する面と反対側の生体信号受信部１０の面を覆う水分蒸発抑制用覆い１１とから構成される
・・・
【００２６】
［第２の実施の形態］
　次に、本発明の第２の実施の形態について説明する。図２は第１の実施の形態で説明した
生体電極をシャツ等の衣類５１に実装した
生体電極は、
水分蒸発抑制用覆い１１を衣類５１に縫い付けたり接着したりすることで、衣類５１に固定されている
（甲５イ）図２
（２）甲５先願当初明細書等に記載された発明
　上記（１）の記載事項及び図面を総合すると、甲５先願当初明細書等には、次の発明（以下、「甲５先願発明」という。）が記載されていると認められる。
　「生体電極を実装したシャツ等の衣類５１であって、
　生体電極は、導電性の多孔質体からなる生体信号受信部１０と、生体信号受信部１０で受信した生体信号を生体信号測定装置に伝えるための生体信号伝達ケーブル１３と、生体信号受信部１０と生体信号伝達ケーブル１３とを電気的に接続するためのコネクタ部１２と、生体（人体）５０と接触する面と反対側の生体信号受信部１０の面を覆う水分蒸発抑制用覆い１１とから構成され、
　生体電極は、水分蒸発抑制用覆い１１を衣類５１に縫い付けたり接着したりすることで、衣類５１に固定されている、
　衣類５１。」
６　甲６について
（１）甲６の記載事項
　本件特許出願の優先権主張の日前に頒布された甲６には、次の事項が記載されている。
（甲６ア）第３頁第１１行−第４頁第３２行
（日本語訳）
「人間の日常生活において大部分の時間に衣服や身の回り品を穿き、椅子に腰掛け、またはベッドに横になり、これらはクロース、例えば衣服、ベッドシート、絨毯、椅子、ハンドル、安全ベルト、バックパック、マスク、マフラー、手袋、靴下、帽子、ベルト、冠物などに接触する。人間の生理情報をクロースにより検知することもできるため、知能型紡績及び服飾もより速やかに発展してくる。
　各種の
電子モジュール（例えば
心臓拍動
のモジュール
）
　本発明の目的は、従来のクロース電子化の製品及び方法に存在する欠陥を克服し、１つの新しいクロース電子化の製品及び方法を提供することであり、解決しようとする技術問題は、従来のクロースと従来の電子モジュール及び現在の導線技術を結合させ、クロースまたはホットメルト粘着膜を回路板とし、且つクロースまたは
ホットメルト粘着膜に電子モジュール及び伝送線を設置し、その後、クロース電子化のために、さらにそれを紡績品または服飾に設置し
　本発明のもう１つの目的は、従来のクロース電子化の製品及び方法に存在する欠陥を克服し、１つの新しいクロース電子化の製品及び方法を提供することであり、解決しようとする技術問題は、クロース電子化の過程を簡素化できるようにさせ、クロースと電子モジュールまたは伝送線を先にそれぞれ生産し、その後一体に結合し、且つ先ず電子モジュールと伝送線を結合し、その後クロースに縫い、または伝送線をクロースに縫い、または貼合することにより固定する過程において電子モジュールと伝送線を接続し、続いてこの電子クロースにさらにもう１つのクロースを縫うことにより密封を完成し、且つ絶縁であり、つまり電子回路を先にパッケージ化クロースに置き、さらにこのパッケージ化クロースを衣服や身の回り品に縫い、または電子回路を先に衣服や身の回り品に設け、外界による破損を防止するように、続いてさらに１つのパッケージ化クロースによって被覆することによりパッケージ化、絶縁、防水、組版を完成し、且つ上記いずれの方法を採用しても、クロースに「半田付け」をしないため、環境にも人体にも傷害せず、且つクロースを破壊しないことにより、さらに実用に適することである。」
（甲６イ）第１６頁第８行−第３０行
（日本語訳）
「電子モジュール及び伝送線をホットメルト粘着膜に固定する方法（図２５ａのように）は、例えば導電縫い糸（または導電布ストリップまたは絶縁導線など）を使用し、ホットメルト薄膜を基板として回路板を製作することである。そのうち、導電縫い糸を使用する時に、直接パソコン化パターン縫いミシンを使用して予め編成した配線図を直接ソーイングの方法によりホットメルト粘着膜に取り付けることによりホットメルト粘着膜ＰＣＢを形成し、その後ガングドリルマシンを使用して電子モジュールを相応の位置に置くことによりホットメルト粘着膜ＰＣＢＡを実現する。もし導電布ストリップを使用すれば、予め配線位置に導線走行位置図を印刷しておく必要があり、その後ホットエアガンなどの加熱工具を使用して粘着膜を局部融けさせ、その後印刷した導線走行位置図に沿って人工で導線を排列する。もし絶縁導線を使用すれば、モジュールの圧接位置に予め絶縁層を抜かすことにより裸出させ、さらにガングドリルマシンを使用して電子モジュールを相応の位置に
置く必要がある。その後、その上、下に耐油紙を敷き、加温してホットメルト粘着膜を少し融かし、その前に置いた電子モジュールと導線をホットメルト粘着膜に接着させ、最後に、耐油紙（図２５ａのように）を取り除く。また、もし電子モジュールは電子モジュールと導線との導通がより良いことを要求すれば、導線の圧接面を増加するように１層または２層の導線ホットメルト粘着膜を使用することにより、その圧接した電子モジュールと導線との導通がより良いようにさせる（図２５ｂ）。また、もし電子モジュールはパッケージ化及び絶縁環境に対する要求が比較的に高ければ、全回路のパッケージ化及び絶縁性能を向上するように、その上または下にさらに１層のホットメルト膜を添加することができる（図２５ｃ）。
　一、ホットメルト粘着膜の性能、特徴は下記の通りである。
　１．各種類の紡績品に対し優良な接着力を有する。
　２．水洗、ドライクリーニングに耐え、使用が便利であり、効率が高い。
　３．人体環境に汚染がない。
　二、
ホットメルト粘着膜の種類は
　
１、高級製品用：ポリアミドホットメルト粘着膜（ＰＡ）、ポリエステルホットメルト粘着膜（ＰＥＴ）、ポリウレタンホットメルト粘着膜（ＰＵ）
　２、普通製品用：ポリオレフィンホットメルト粘着膜（ＰＯ）、エチレン‐エチレン酢酸ビニル共重合体ホットメルト粘着膜（ＥＶＡ）
（２）甲６に記載された発明
　上記（１）の記載事項及び図面を総合すると、甲６には、次の発明（以下、「甲６発明」という。）が記載されていると認められる。
　「ホットメルト粘着膜に電子モジュール（例えば、心臓拍動のモジュール）及び伝送線を設置し、その後、クロース電子化のために、さらにそれを設置した紡績品または服飾であって、
　ホットメルト粘着膜の種類は、
　１、高級製品用：ポリアミドホットメルト粘着膜（ＰＡ）、ポリエステルホットメルト粘着膜（ＰＥＴ）、ポリウレタンホットメルト粘着膜（ＰＵ）
　２、普通製品用：ポリオレフィンホットメルト粘着膜（ＰＯ）、エチレン‐エチレン酢酸ビニル共重合体ホットメルト粘着膜（ＥＶＡ）
のいずれかである、
　紡績品または服飾。」
７　甲７について
（１）甲７の記載事項
　本件特許出願の優先権主張の日前に頒布された甲７には、次の事項が記載されている。
（甲７ア）
「【０００１】
　本発明は、透湿防水性に優れ、
防水衣料等に用いられる透湿防水性布帛
（甲７イ）
「【００２０】
　本発明の布帛の生地としては、使用目的等に応じて適宜なものを用いることが可能であるが、例を挙げると、ナイロン繊維やポリエステル繊維、ポリアミド繊維の如き合成繊維、アセテート繊維の如き半合成繊維、綿や麻や羊毛の如き天然繊維を単独でまたは２種以上を混合して、織物や編物、不織布等特に限定することなく用いることが出来る。
【００２１】
　
透湿防水層
【００２２】
　これらの樹脂を主成分とした層に透湿性を付与する形態としては、例えば、
（１）ポリウレタンを主成分とする微多孔質膜
（２）透湿性を有するポリウレタンを主成分とする無孔質膜
（３）ポリテトラフルオロエチレンを主成分とする延伸多孔膜
（４）前記樹脂をナノファイバー化して積層した不織布構造を持つ微多孔質膜
　などが挙げられる。また、上記（１）のような微多孔質膜に、透湿性を有する無孔質膜をさらに積層することも好ましい。中でも、（１）（２）のようなポリウレタンを主成分として用いた透湿防水膜が製造コストと性能の面から特に好ましい。
【００２３】
　
透湿防水層の形成方法としては、布帛にダイレクトにコーティングし
（２）甲７に記載された技術的事項
　上記（１）の記載事項及び図面を総合すると、甲７には、次の技術的事項（以下、「甲７技術的事項」という。）が記載されていると認められる。
　「防水衣料等に用いられる透湿防水性布帛であって、
　透湿防水層である
（１）ポリウレタンを主成分とする微多孔質膜
（２）透湿性を有するポリウレタンを主成分とする無孔質膜
（３）ポリテトラフルオロエチレンを主成分とする延伸多孔膜
などを、布帛にダイレクトにコーティングした、透湿防水性布帛。」
第５　取消理由通知に記載した取消理由について
１　取消理由の概要
　訂正前の請求項１ないし３０に係る特許に対して、当審が平成３０年１２月３日に特許権者に通知した取消理由の要旨は、次のとおりである。
（１）請求項１ないし３０に係る発明は、甲２発明（主引用発明）及び甲１発明（副引用発明）に基いて、当業者が容易に想到することができたものである。よって、請求項１ないし３０に係る特許は、特許法第２９条第２項の規定に違反してされたものであり、取り消されるべきものである。
（２）発明の詳細な説明に記載された具体例を、請求項１ないし３０に記載の「樹脂層」の範囲まで、拡張ないし一般化できる理由はないことから、請求項１ないし３０に係る発明は、発明の詳細な説明に記載したものとはいえない。よって、請求項１ないし３０に係る特許は、特許法第３６条第６項第１号に規定する要件を満たしていない特許出願に対してされたものであり、取り消されるべきものである。
（３）請求項７及び２１は、「導電性繊維構造物」及び「配線部」を、製造方法により特定する記載であるため、それぞれの構造が明確であるとはいえない。よって、請求項７及び２１、並びに、前記請求項を直接又は間接的に引用する請求項８ないし２０及び２２ないし２９に係る特許は、特許法第３６条第６項第２号に規定する要件を満たしていない特許出願に対してされたものであり、取り消されるべきものである。
２　当審の判断
（１）特許法第２９条第２項について
ア　本件発明１について
（ア）対比
　本件発明１と甲２発明とを対比する。
ａ　甲２発明の「ライクラ（当審注：登録商標）」は、ポリウレタン弾性繊維の商標名であるから、甲２発明の「導電性の伸縮素材から作られ、伸縮素材はライクラ（当審注：登録商標）のような材料であ」る「電極１２０および１３０」は、本件発明１の「導電性繊維構造物からなる少なくとも２つ以上の電極」に相当する。
ｂ　甲２発明の「着用者の皮膚と接触する」「電極１２０または１３０から」「導通」する「心拍数測定に必要な電子機器であ」る「生理的特性のモニタ用装置１７０」は、本件発明１の「生体と接触する前記電極が取得した生体電気信号を検出処理する測定装置」に相当する。
ｃ　甲２発明の「それぞれ、電極１２０または１３０から生理的特性のモニタ用装置１７０に導通」する「導通接続部１２５および１３５」は、本件発明１の「前記電極と前記測定装置とを導通接続する配線部」に相当する。
ｄ　甲２発明の「電極１２０および１３０は、」「衣料１００の内表面に縫い付けられるか接着剤で接着され、」「導通接続部１２５および１３５は、」「衣料１００の非導電性の繊維に織り込まれるか、衣料１００上に縫われ／スティッチされるか、または接着され、」「モニタ用装置１７０は、」「衣料１００に固定式で一体化され、または、衣料１００に対して分離可能である、」「衣料１００」は、本件発明１の「前記電極、前記測定装置、および前記配線部が所定の位置に配置される衣料本体部」に相当する。
ｅ　上記ａ〜ｄを踏まえると、甲２発明の「着用者の心拍数を測定するための衣料１００」は、本件発明１の「生体信号検出衣料」に相当する。
（イ）一致点・相違点
　上記（ア）を踏まえると、本件発明１と甲２発明とは、次の点で一致し、次の点で相違する。
（一致点）
「導電性繊維構造物からなる少なくとも２つ以上の電極と、
  生体と接触する前記電極が取得した生体電気信号を検出処理する測定装置と、
  前記電極と前記測定装置とを導通接続する配線部と、
  前記電極、前記測定装置、および前記配線部が所定の位置に配置される衣料本体部と、
  を具備する生体信号検出衣料。」
（相違点１）
　本件発明１では、「前記電極に用いる導電性繊維構造物の肌側と接する面の裏面側にＰＴＦＥ（ポリテトラフルオロエチレン）多孔膜、親水性のポリエステル樹脂エラストマーもしくは親水性のポリウレタン樹脂エラストマーからなる無孔膜、ポリウレタン樹脂微多孔膜から選択される透湿層がラミネートにより積層接着、または親水性のポリエステル樹脂エラストマーもしくは親水性のポリウレタン樹脂エラストマーからなる無孔膜から選択される透湿層がコーティングにより積層接着され」るのに対し、甲２発明では、この点の特定がない点。
（ウ）判断
　上記相違点１について検討する。
ａ　甲１、３、４及び６発明は、上記第５の１、３、４及び６のとおり、いずれも、本件発明１の「生体信号検出衣料」に関する技術分野に属するものであるが、上記相違点１に係る本件発明１の構成を備えてはいない。
ｂ　また、甲７技術的事項の「布帛にダイレクトに」「透湿防水層」を「コーティングした、透湿防水性布帛」は、「衣料」を「透湿防水」とするためのものであるから、甲７に接した当業者であれば、甲２発明の「衣料１００」を透湿防水のものとすべく、その「衣料１００」を構成する布帛として、甲７技術的事項の上記「透湿防水性布帛」を用いることは、想到し得るかもしれないが、甲７には、衣料を「前記電極、前記測定装置、および前記配線部が所定の位置に配置される」「生体信号検出衣料」とすることについて記載も示唆もされていないことから、甲７に接した当業者であっても、甲２発明の「電極１２０および１３０」を透湿防水のものとすべく、「透湿層」を「電極に用いる導電性繊維構造物の肌側と接する面の裏面側に」「コーティングにより積層接着」することは、想到し得ないことである。
　そして、本件発明１は、「透湿層」を「電極に用いる導電性繊維構造物の肌側と接する面の裏面側に」「コーティングにより積層接着」することにより、電極自体の湿度をコントロールすることができるという効果を奏するものである。
ｃ　また、上記相違点１に係る本件発明１の構成が周知技術であるという証拠もない。
ｄ　以上のことから、上記相違点１に係る本件発明１の構成は、甲２、甲１、３、４及び６、並びに甲７に基づいて当業者が容易に想到し得たことではない。
（エ）小括
　したがって、本件発明１は、甲２、甲１、３、４及び６、並びに甲７に基づいて当業者が容易に発明をすることができたものではない。
イ　本件発明２〜２９について
　本件発明２〜２９は、本件発明１を更に減縮したものであるから、上記本件発明１についての判断と同様の理由により、当業者が容易に発明をすることができたものではない。
ウ　本件発明３０について
　本件発明３０は、上記相違点１に係る本件発明１の構成を備えているから、上記本件発明１についての判断と同様の理由により、当業者が容易に発明をすることができたものではない。
（２）特許法第３６条第６項第１号について
　特許法第３６条第６項第１号の取消理由については、「樹脂層が積層された」を、訂正により、「ＰＴＦＥ（ポリテトラフルオロエチレン）多孔膜、親水性のポリエステル樹脂エラストマーもしくは親水性のポリウレタン樹脂エラストマーからなる無孔膜、ポリウレタン樹脂微多孔膜から選択される透湿層がラミネートにより積層接着、または親水性のポリエステル樹脂エラストマーもしくは親水性のポリウレタン樹脂エラストマーからなる無孔膜から選択される透湿層がコーティングにより積層接着された」にしたことから、特許法第３６条第６項第１号についての取消理由は解消した。
（３）特許法第３６条第６項第２号について
　特許法第３６条第６項第２号の取消理由については、「製造方法により特定された導電性繊維構造物」（請求項７）及び「製造方法により特定された配線部」（請求項２１）を、訂正により、それぞれ、構造についての発明特定事項としたことから、特許法第３６条第６項第２号についての取消理由は解消した。
第６　取消理由通知において採用しなかった特許異議申立理由について
１　特許法第２９条第１項第３号について
　申立人は、本件発明１は各甲１〜４発明である旨主張するが、上記第５の２（１）のとおり、上記相違点１に係る本件発明１の構成は実質的な相違点であるから、申立人の主張する上記理由は採用できない。
２　特許法第２９条第２項について
　申立人は、本件発明１は、甲１、３、４、６発明のいずれを主引用発明とし、甲１〜４、６、７から当業者が容易に発明をすることができた旨主張するが、上記第５の２（１）のとおり、上記相違点１に係る本件発明１の構成は、甲１〜４、６、７の記載事項から導き出せるものでないから、甲１、３、４、６発明のいずれをも主引用発明として出発しても、上記相違点１に係る本件発明１の構成に至らないことは明らかである。よって、申立人の主張する上記理由は採用できない。
３　特許法第２９条の２について
　申立人は、本件発明１は甲５先願発明と同一発明である旨主張するが、甲５先願発明は、上記相違点１に係る本件発明１の構成を明らかに備えておらず、甲５先願当初明細書等には、そのような構成を示唆する記載もない。よって、本件発明１は、甲５先願発明と同一発明でないから、申立人の主張する上記理由は採用できない。
第７　むすび
　以上のとおりであるから、取消理由通知に記載した取消理由及び特許異議申立書に記載した特許異議申立理由によっては、本件発明１ないし３０に係る特許を取り消すことはできない。
　また、他に本件発明１ないし３０に係る特許を取り消すべき理由を発見しない。
　よって、結論のとおり決定する。
【異議決定日】
令和１年５月１６日（２０１９．５．１６）
【訂正の要旨】
審決（決定）の【理由】欄参照。
（５７）【特許請求の範囲】
　【請求項１】
　導電性繊維構造物からなる少なくとも２つ以上の電極と、
　生体と接触する前記電極が取得した生体電気信号を検出処理する測定装置と、
　前記電極と前記測定装置とを導通接続する配線部と、
　前記電極、前記測定装置、および前記配線部が所定の位置に配置される衣料本体部と、
　を具備し、前記電極に用いる導電性繊維構造物の肌側と接する面の裏面側に
ＰＴＦＥ（ポリテトラフルオロエチレン）多孔膜、親水性のポリエステル樹脂エラストマーもしくは親水性のポリウレタン樹脂エラストマーからなる無孔膜、ポリウレタン樹脂微多孔膜から選択される透湿層がラミネートにより積層接着、または親水性のポリエステル樹脂エラストマーもしくは親水性のポリウレタン樹脂エラストマーからなる無孔膜から選択される透湿層がコーティングにより
接着
　【請求項２】
　前記測定装置は心電図測定装置であって、
　前記電極のいずれか１つを関電極とし、前記関電極以外の電極を不関電極（生体基準電位電極）として、前記関電極と前記不関電極との電位差を心電図波形として検出することを特徴とする請求項１に記載の生体信号検出衣料。
　【請求項３】
　前記測定装置は心電図測定装置であって、
　前記導電性繊維構造物からなる少なくとも３つ以上の電極を有し、前記電極のいずれか２つを関電極とし、前記関電極以外の電極を不関電極（生体基準電位電極）として、２つの前記関電極の電位差を心電図波形として検出することを特徴とする請求項１に記載の生体信号検出衣料。
　【請求項４】
　前記測定装置は心電図測定装置であって、
　前記電極のうちの２つは、前記衣料本体部の左右の側胸部あるいは側腹部近傍にそれぞれ配置され、
　前記電極を３つ以上具備する場合、残りの電極は、前記衣料本体部の左右の側胸部あるいは側腹部近傍に配された電極から離間して配置されることを特徴とする請求項１〜３のいずれかに記載の生体信号検出衣料。
　【請求項５】
　前記衣料本体部の左右の側胸部あるいは側腹部近傍にそれぞれ配置された前記電極を２つの関電極とし、これら以外を不関電極（生体基準電位電極）として、２つの前記関電極の電位差を心電図波形として検出することを特徴とする請求項４に記載の生体信号検出衣料。
　【請求項６】
　前記導電性繊維構造物は、導電性高分子を含浸させた繊維構造物であることを特徴とする請求項１〜５のいずれかに記載の生体信号検出衣料。
　【請求項７】
　前記導電性繊維構造物は、
前記導電性高分子およびバインダを含浸させた繊維構造物である
　【請求項８】
　前記導電性高分子は、ポリ（３，４−エチレンジオキシチオフェン）とポリスチレンスルホン酸との混合物であることを特徴とする請求項６または７に記載の生体信号検出衣料。
　【請求項９】
　前記電極は、繊維構造物の織編物からなり、前記織編物の目付けが５０ｇ／ｍ２以上、３００ｇ／ｍ２以下であることを特徴とする請求項１〜８のいずれかに記載の生体信号検出衣料。
　【請求項１０】
　前記電極に用いる織編物が合成繊維マルチフィラメントからなり、前記織編物に使用する合成繊維マルチフィラメントの少なくとも一部が、繊度が３０ｄｔｅｘ以上４００ｄｔｅｘ以下で、かつ単糸繊度が０．２ｄｔｅｘ以下である合成繊維マルチフィラメントであることを特徴とする請求項１〜９のいずれかに記載の生体信号検出衣料。
　【請求項１１】
　前記電極に用いる織編物が合成繊維マルチフィラメントからなり、前記織編物に使用する合成繊維マルチフィラメントの少なくとも一部が、単糸繊維径が１０ｎｍ以上５０００ｎｍ以下である合成繊維マルチフィラメントを含むことを特徴とする請求項１〜１０のいずれかに記載の生体信号検出衣料。
　【請求項１２】
　前記電極に用いる織編物が合成繊維マルチフィラメントからなり、前記織編物に使用する合成繊維マルチフィラメントの少なくとも一部が、単糸繊維径が１０ｎｍ以上１０００ｎｍ以下である合成繊維マルチフィラメントを含むことを特徴とする請求項１〜１１のいずれかに記載の生体信号検出衣料。
　【請求項１３】
　前記樹脂層がポリウレタン系透湿層からなることを特徴とする請求項１〜１２のいずれかに記載の生体信号検出衣料。
　【請求項１４】
　前記配線部は、導電性樹脂のプリント、導電性樹脂フィルムのラミネート、導電性繊維または金属線により形成されることを特徴とする請求項１〜１３のいずれかに記載の生体信号検出衣料。
　【請求項１５】
　前記配線部は導電性繊維の縫込みにより形成され、
　前記導電性繊維は金属類によりコーティングされた繊維からなることを特徴とする請求項１〜１４のいずれかに記載の生体信号検出衣料。
　【請求項１６】
　前記導電性繊維にコーティングされる金属類は、銀、アルミあるいはステンレス鋼を含むことを特徴とする請求項１５に記載の生体信号検出衣料。
　【請求項１７】
　前記配線部は、前記衣料本体部の表面側に配置されることを特徴とする請求項１〜１６のいずれかに記載の生体信号検出衣料。
　【請求項１８】
　前記配線部は導電性繊維の縫込みにより形成され、
　前記導電性繊維が主に前記衣料本体部の表面側に露出するように、ミシンの片糸に用いて縫製により縫い込まれたことを特徴とする請求項１〜１７のいずれかに記載の生体信号検出衣料。
　【請求項１９】
　前記配線部は、前記衣料本体部の表面側に配置され、
　前記配線部の前記衣料本体部の表面側に露出する部分が、防水性の電気的絶縁性部材で被覆されていることを特徴とする請求項１〜１８のいずれかに記載の生体信号検出衣料。
　【請求項２０】
　前記電気的絶縁性部材がポリウレタン系フィルムであることを特徴とする請求項１９に記載の生体信号検出衣料。
　【請求項２１】
　前記配線部は
、
　防水性の電気的絶縁性部材からなるシートと、
　前記シートの片面の一部に連続的に積層された導電性樹脂と、
　からなり、
が
されている
　【請求項２２】
　前記生体信号検出衣料は、１つの前記電極、前記測定装置、および前記電極と前記測定装置を導通接続する前記配線部によって構成される導通接続系統を少なくとも２つ有し、前記導通接続系統の少なくとも衣料本体部上に形成される部分が、撥水性かつ絶縁性の構造で互いに分離されることを特徴とする請求項１〜２１のいずれかに記載の生体信号検出衣料。
　【請求項２３】
　前記衣料本体部は織編物からなり、前記織編物のタテ方向あるいはヨコ方向のどちらか一方の６０％伸長時の応力が０．５Ｎ以上１５Ｎ以下であることを特徴とする請求項１〜２２のいずれかに記載の生体信号検出衣料。
　【請求項２４】
　前記衣料本体部は弾性糸と非弾性糸からなる織編物であることを特徴とする請求項１〜２３のいずれかに記載の生体信号検出衣料。
　【請求項２５】
　前記弾性糸はポリウレタン系弾性繊維であることを特徴とする請求項２４に記載の生体信号検出衣料。
　【請求項２６】
　前記衣料本体部が編物であることを特徴とする請求項１〜２７のいずれかに記載の生体信号検出衣料。
　【請求項２７】
　前記測定装置は、コネクタを介して前記衣料本体部と着脱かつ接続することができることを特徴とする請求項１〜２６のいずれかに記載の生体信号検出衣料。
　【請求項２８】
　前記測定装置は、モバイル端末やパーソナルコンピュータと通信し、データを転送する機能を有することを特徴とする請求項１〜２７のいずれかに記載の生体信号検出衣料。
　【請求項２９】
　前記測定装置は、モバイル端末やパーソナルコンピュータと無線通信し、データを転送する機能を有することを特徴とする請求項１〜２８のいずれかに記載の生体信号検出衣料。
　【請求項３０】
　導電性繊維構造物からなる少なくとも２つ以上の電極と、
　生体と接触する前記電極が取得した生体電気信号を検出処理する測定装置を着脱かつ接続可能なコネクタと、
　前記電極と前記コネクタとを導通接続する配線部と、
　前記電極、前記コネクタ、および前記配線部が所定の位置に配置される衣料本体部と、
　を具備し、前記電極に用いる導電性繊維構造物の肌側と接する面の裏面側に前記電極の湿度コントロールが可能な
ＰＴＦＥ（ポリテトラフルオロエチレン）多孔膜、親水性のポリエステル樹脂エラストマーもしくは親水性のポリウレタン樹脂エラストマーからなる無孔膜、ポリウレタン樹脂微多孔膜から選択される透湿層がラミネートにより積層接着、または親水性のポリエステル樹脂エラストマーもしくは親水性のポリウレタン樹脂エラストマーからなる無孔膜から選択される透湿層がコーティングにより
接着